【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
物体側から像側へ順に配置された、正の屈折力の第１レンズ群、フォーカシングに際して移動する正の屈折力の第２レンズ群、像ぶれ補正に際して光軸に対して垂直方向の成分を持つ方向に移動する負の屈折力の第３レンズ群、正の屈折力の第４レンズ群を有する光学系であって、
前記第１レンズ群は５枚以下のレンズ要素より構成され、
前記第３レンズ群の最も物体側のレンズ面から像面までの光軸上における距離をＤ３、全系の焦点距離をｆとするとき、
０．３０＜Ｄ３／ｆ＜１．３０
なる条件式を満足することを特徴とする光学系。
【請求項２】
前記第２レンズ群の最も像側のレンズ面から前記第３レンズ群の最も物体側のレンズ面までの光軸上の距離をＤ２３とするとき、
０．０１＜Ｄ２３／ｆ＜０．２０
なる条件式を満足することを特徴とする請求項１に記載の光学系。
【請求項３】
前記第１レンズ群の最も像側のレンズ面から前記第２レンズ群の最も物体側のレンズ面までの光軸上の距離をＤ１２とするとき、
０．０４３＜Ｄ１２／ｆ＜０．３００
なる条件式を満足することを特徴とする請求項１又は２に記載の光学系。
【請求項４】
前記第１レンズ群の焦点距離をｆ１とするとき、
１．００＜ｆ１／ｆ＜７．００
なる条件式を満足することを特徴とする請求項１乃至３のいずれか１項に記載の光学系。 
【請求項５】
前記第２レンズ群の焦点距離をｆ２とするとき、
０．２７＜ｆ２／ｆ＜２．００
なる条件式を満足することを特徴とする請求項１乃至４のいずれか１項に記載の光学系。 
【請求項６】
前記第３レンズ群の焦点距離をｆ３とするとき、
−１．０＜ｆ３／ｆ＜−０．１
なる条件式を満足することを特徴とする請求項１乃至５のいずれか１項に記載の光学系。 
【請求項７】
前記第３レンズ群の焦点距離をｆ３、前記第４レンズ群の焦点距離をｆ４とするとき、
−２．０＜ｆ３／ｆ４＜−０．４
なる条件式を満足することを特徴とする請求項１乃至６のいずれか１項に記載の光学系。 
【請求項８】
無限遠にフォーカスしているときの前記第２レンズ群の結像横倍率をβ２とするとき、
０．０５＜β２＜０．７０
なる条件式を満足することを特徴とする請求項１乃至７のいずれか１項に記載の光学系。 
【請求項９】
無限遠にフォーカスしているときの前記第３レンズ群の結像横倍率をβ３とするとき、
１／（β３）２＜０．２０
なる条件式を満足することを特徴とする請求項１乃至８のいずれか１項に記載の光学系。 
【請求項１０】
最も物体側に配置されたレンズの物体側のレンズ面から像面までの光軸上の距離をＬとするとき、
０．４＜Ｄ３／Ｌ＜０．７
なる条件式を満足することを特徴とする請求項１乃至９のいずれか１項に記載の光学系。 
【請求項１１】
前記第１レンズ群は、物体側から像側へ順に配置された、正レンズ、正レンズ、正レンズ、負レンズより構成されていることを特徴とする請求項１乃至１０のいずれか１項に記載の光学系。
【請求項１２】
前記第１レンズ群は、物体側から像側へ順に配置された、正レンズ、正レンズ、負レンズより構成されていることを特徴とする請求項１乃至１０のいずれか１項に記載の光学系。
【請求項１３】
前記第１レンズ群は、物体側から像側へ順に配置された、正レンズ、正レンズ、負レンズ、正レンズ、負レンズより構成されていることを特徴とする請求項１乃至１０のいずれか１項に記載の光学系。
【請求項１４】
前記第３レンズ群は、物体側から像側へ順に配置された、負レンズ、正レンズ、負レンズより構成されていることを特徴とする請求項１乃至１３のいずれか１項に記載の光学系。
【請求項１５】
前記第３レンズ群は、物体側から像側へ順に配置された、負レンズ、負レンズ、正レンズより構成されていることを特徴とする請求項１乃至１１、１３のいずれか１項に記載の光学系。
【請求項１６】
前記第３レンズ群は、物体側から像側へ順に配置された、正レンズ、負レンズより構成されていることを特徴とする請求項１乃至１０、１２のいずれか１項に記載の光学系。
【請求項１７】
前記第２レンズ群は、物体側から像側へ順に配置された、負レンズ、正レンズより構成されていることを特徴とする請求項１乃至１５のいずれか１項に記載の光学系。
【請求項１８】
前記第２レンズ群は、正レンズより構成されていることを特徴とする請求項１乃至１０、１２、１６のいずれか１項に記載の光学系。
【請求項１９】
前記第２レンズ群および前記第３レンズ群の間に配置された、正レンズまたは負レンズを有することを特徴とする請求項１乃至１２、１４、１７のいずれか１項に記載の光学系。
【請求項２０】
請求項１乃至１９のいずれか１項の光学系と該光学系によって形成される像を受光する撮像素子を有することを特徴とする撮像装置。
【手続補正２】
【補正対象書類名】明細書
【補正対象項目名】００１０
【補正方法】変更
【補正の内容】
【００１０】
本発明の光学系は、物体側から像側へ順に配置された、正の屈折力の第１レンズ群、フォーカシングに際して移動する正の屈折力の第２レンズ群、像ぶれ補正に際して光軸に対して垂直方向の成分を持つ方向に移動する負の屈折力の第３レンズ群、正の屈折力の第４レンズ群を有する光学系であって、
前記第１レンズ群は５枚以下のレンズ要素より構成され、
前記第３レンズ群の最も物体側のレンズ面から像面までの光軸上における距離をＤ３、全系の焦点距離をｆとするとき、
０．３０＜Ｄ３／ｆ＜１．３０
なる条件式を満足することを特徴としている。
【手続補正３】
【補正対象書類名】明細書
【補正対象項目名】００３８
【補正方法】変更
【補正の内容】
【００３８】
無限遠にフォーカスしているときの第２レンズ群Ｌ２の結像横倍率をβ２とする。無限遠にフォーカスしているときの第３レンズ群Ｌ３の結像横倍率をβ３とする。最も物体側のレンズのレンズ面から像面までの光軸上の距離をＬとする。このとき、次の条件式のうち１つ以上を満足するのが良い。
【手続補正４】
【補正対象書類名】明細書
【補正対象項目名】００３９
【補正方法】変更
【補正の内容】
【００３９】
０．０１＜Ｄ２３／ｆ＜０．２０      ・・・（２）
０．０４３＜Ｄ１２／ｆ＜０．３００  ・・・（３）
１．００＜ｆ１／ｆ＜７．００        ・・・（４）
０．２７＜ｆ２／ｆ＜２．００        ・・・（５）
−１．０＜ｆ３／ｆ＜−０．１        ・・・（６）
−２．０＜ｆ３／ｆ４＜−０．４      ・・・（７）
０．０５＜β２＜０．７０            ・・・（８）
１／（β３）2＜０．２０              ・・・（９）
０．４＜Ｄ３／Ｌ＜０．７            ・・・（１０）
【手続補正５】
【補正対象書類名】明細書
【補正対象項目名】００５０
【補正方法】変更
【補正の内容】
【００５０】
０．０１７＜Ｄ２３／ｆ＜０．１９０  ・・・（２ａ）
０．０６＜Ｄ１２／ｆ＜０．２５      ・・・（３ａ）
１．０５＜ｆ１／ｆ＜６．００        ・・・（４ａ）
０．３５＜ｆ２／ｆ＜１．５０        ・・・（５ａ）
−０．８０＜ｆ３／ｆ＜−０．１１    ・・・（６ａ）
−１．６＜ｆ３／ｆ４＜−０．５      ・・・（７ａ）
０．１０＜β２＜０．５６            ・・・（８ａ）
１／（β３）2＜０．１２              ・・・（９ａ）
０．４８＜Ｄ３／Ｌ＜０．６５        ・・・（１０ａ）
【手続補正６】
【補正対象書類名】明細書
【補正対象項目名】００５１
【補正方法】変更
【補正の内容】
【００５１】
更に好ましくは条件式（２ａ）乃至（１０ａ）の数値範囲を次の如く設定するのが良い。
０．０２５＜Ｄ２３／ｆ＜０．１８０  ・・・（２ｂ）
０．０７０＜Ｄ１２／ｆ＜０．２３２  ・・・（３ｂ）
１．１０＜ｆ１／ｆ＜５．２２        ・・・（４ｂ）
０．４５＜ｆ２／ｆ＜１．４８        ・・・（５ｂ）
−０．７８＜ｆ３／ｆ＜−０．１２    ・・・（６ｂ）
−１．５５＜ｆ３／ｆ４＜−０．５２  ・・・（７ｂ）
０．１６＜β２＜０．５２            ・・・（８ｂ）
１／（β３）2＜０．０９              ・・・（９ｂ）
０．５＜Ｄ３／Ｌ＜０．６            ・・・（１０ｂ）
【手続補正７】
【補正対象書類名】明細書
【補正対象項目名】００５３
【補正方法】変更
【補正の内容】
【００５３】
又は第２レンズ群Ｌ２は物体側から像側へ順に配置された、正レンズより構成されている。第３レンズ群Ｌ３は物体側から像側へ順に配置された、負レンズ、正レンズ、負レンズより構成されている。又は第３レンズ群Ｌ３は物体側から像側へ順に配置された、負レンズ、負レンズ、正レンズより構成されている。又は第３レンズ群Ｌ３は物体側から像側へ順に配置された、正レンズ、負レンズより構成されている。
【手続補正８】
【補正対象書類名】図面
【補正対象項目名】図１６
【補正方法】変更
【補正の内容】
【図１６】
2017122871.tif 000001
【手続補正９】
【補正対象書類名】図面
【補正対象項目名】図２５
【補正方法】変更
【補正の内容】
【図２５】
2017122871.tif 000002